(57)【要約】【課題】導水路に複数の取水口から取り入れた水を合流させる場合において、ハンチングを起こさずに基準水位（基準水量）を得ることが可能な取水ゲート自動制御システムを提供する。【解決手段】ダム水位計８が設けられたダムの取水口４に対しては、ダム水位計８により検出されたダム水位と取水ゲート開度計２５により検出された取水ゲート６の開度とに基づき算出される取水量が第１の目標取水量となるように取水ゲート６の開度を制御し、それ以外の取水口５に対しては、水路水位計９により検出された導水路１の水位から得られる水路流量とダム水位計８が設けられたダムの取水口４の前記算出された取水量との差が第２の目標取水量となるように取水ゲート７の開度を制御する。【選択図】      図１
2010275825.tif 000002
【特許請求の範囲】
【請求項１】
水力発電用の水を水力発電所に導入するために設けられる導水路に、河川を流れる水を導水する複数の取水口を連通させ、それぞれの前記取水口に設けられる取水ゲートの開度を制御して前記導水路の水路水位を調節する取水ゲート自動制御システムにおいて、
前記取水口を備えたダムに対してダム水位を検出するダム水位計と、前記複数の取水口からの取水を合流させた後の前記導水路の水位を検出する水路水位計と、それぞれの取水ゲートの開度を検出する取水ゲート開度計と、これらダム水位計、水路水位計、及び取水ゲート開度計からの検出信号を少なくとも受信すると共にそれぞれの前記取水ゲートの開度を統括制御する取水ゲート自動制御盤とを備え、
前記ダム水位計が設けられたダムの取水口に対しては、前記ダム水位計により検出されたダム水位とこの取水口に設けられた取水ゲートの開度を検出する取水ゲート開度計により検出された当該取水ゲートの開度とに基づき算出される取水量が第１の目標取水量となるように取水ゲートの開度を制御し、
それ以外の取水口に対しては、前記水路水位計により検出された前記導水路の水位から得られる水路流量と前記ダム水位計が設けられたダムの取水口の前記算出された取水量との差が第２の目標取水量となるように取水ゲートの開度を制御することを特徴とする取水ゲート制御システム。
【請求項２】
前記ダム水位計が設けられたダムの取水口に設けられた取水ゲートは、前記算出された取水量が前記第１の目標取水量以下である場合に全開制御を行い、ダム水位が所定値以上である場合に全閉制御を行い、前記算出された取水量が前記第１の目標取水量より大きく、又は、ダム水位が前記所定値より小さい場合に取水量を一定にする制御を行うことを特徴とする請求項１記載の取水ゲート制御システム。
【請求項３】
前記ダム水位計が設けられたダムの取水口以外の取水口に設けられた取水ゲートは、前記水路水位計により検出された前記導水路の水位から得られる水路流量と前記ダム水位計が設けられたダムの取水口の前記算出された取水量との差が前記第２の目標取水量より少ない場合に全開制御を行い、前記第２の目標取水量以上である場合に水路水位を一定にする一定制御を行うことを特徴とする請求項１記載の取水ゲート制御システム。
【請求項４】
前記取水ゲートの各制御間の切り替えは、条件が成立してから設定時間経過後に切り替えられることを特徴とする請求項３又は４記載の取水ゲート制御システム。
【発明の詳細な説明】
【技術分野】
【０００１】
本発明は、水力発電用の水を水力発電所に導入するために設けられる導水路に対して複数の取水口から導水する場合に、それぞれの取水口に設けられた取水ゲートの開度を制御するために有用な取水ゲート自動制御システムに関する。
【背景技術】
【０００２】
水力発電に利用する水を得るためには、河川 や池、湖沼などに取水口を設けて導水路に導水するが、より効率よく取水するために、えん堤 やダムを設ける場合が多い。そして、それぞれの取水口には、取水量を調節する取水ゲートが設けられ、この取水ゲートの開度を取水ゲート自動制御盤により制御して適切な取水を行うようにしている。
【０００３】
このような取水ゲートは、従来、ゲート１門に対して、１つの自動制御盤を設けて開度制御を行っており、例えば、図７に示されるように、２ヶ所の取水口４，５から導水路１に導水する場合においては、導水路１の合流後の水路水位を水路水位計９で検出し、この水路水位計９で検出された導水路１の水位情報を取水ゲート６，７毎に設けられた自動制御盤１０１，１０２に入力し、それぞれの自動制御盤１０１，１０２によって、導水路の水位情報に基づき、認可最大取水量を超過しないように水位を流量に換算して夫々の取水ゲート６，７の開度を制御するようにしていた。
【０００４】
尚、このような取水ゲートについては、ゲートを目標開度値に対応する位置へ正確に駆動させるために、種々の制御方法が提案されている（特許文献１，２等参照）。
【先行技術文献】
【特許文献】
【０００５】
【特許文献１】特開２００３−１４７７５１号公報
【特許文献２】特開２００６−４１５４号公報
【発明の概要】
【発明が解決しようとする課題】
【０００６】
しかしながら、それぞれの自動制御盤は、水路水位計からの水位情報を取得して導水路の水位が基準水位となるように対応する取水ゲートを個別に制御するようにしており、また、それぞれの取水口から取り入れた取水は水路水位計に到達するまでにタイムラグがあることから、取水ゲートの開度を目標開度に正確に一致させる制御を行った場合においても、複数の取水口からの取水が導水路内で合流すると、図８に示されるように、水路水位（水路流量）がハンチングを起こす不都合がある。
【０００７】
本発明は係る事情に鑑みてなされたものであり、導水路に複数の取水口から取り入れた水を合流させる場合において、ハンチングを起こさずに基準水位（基準水量）を得ることが可能な取水ゲート自動制御システムを提供することを主たる課題としている。
【課題を解決するための手段】
【０００８】
上記課題を達成するために、本発明に係る取水ゲート自動制御システムは、水力発電用の水を水力発電所に導入するために設けられる導水路に、河川を流れる水を導水する複数の取水口を連通させ、それぞれの前記取水口に設けられる取水ゲートの開度を制御して前記導水路の水路水位を調節するシステムであって、前記取水口を備えたダムに対してダム水位を検出するダム水位計と、前記複数の取水口からの取水を合流させた後の前記導水路の水位を検出する水路水位計と、それぞれの取水ゲートの開度を検出する取水ゲート開度計と、これらダム水位計、水路水位計、及び取水ゲート開度計からの検出信号を少なくとも受信すると共にそれぞれの前記取水ゲートの開度を統括制御する取水ゲート自動制御盤とを備え、前記ダム水位計が設けられたダムの取水口に対しては、前記ダム水位計により検出されたダム水位とこの取水口に設けられた取水ゲートの開度を検出する取水ゲート開度計により検出された当該取水ゲートの開度とに基づき算出される取水量が第１の目標取水量となるように取水ゲートの開度を制御し、それ以外の取水口に対しては、前記水路水位計により検出された前記導水路の水位から得られる水路流量と前記ダム水位計が設けられたダムの取水口の前記算出された取水量との差が第２の目標取水量となるように取水ゲートの開度を制御することを特徴としている。
【０００９】
したがって、ダム水位計が設けられたダムの取水口に設けられた取水ゲートは、ダム水位計により検出されたダム水位と取水ゲート開度計により検出された取水ゲートの開度とに基づき算出される取水量が第１の目標取水量となるように制御され、また、ダム水位計が設けられたダムの取水口以外の取水口に設けられた取水ゲートは、水路水位計により検出された導水路の水位から得られる水路流量と前記ダム水位計が設けられたダムの取水口の前記算出された取水量との差が第２の目標取水量となるように制御されるので、互いに干渉し合わない制御形態をとることによってそれぞれの取水ゲートを制御することが可能となる。このため、複数の取水口から導水する場合においてもハンチングを防ぐことが可能となる。
【００１０】
ここで、ダム水位計が設けられたダムの取水口に設けられた取水ゲートのより具体的な制御態様としては、前記算出された取水量が前記第１の目標取水量以下である場合に全開制御を行い、ダム水位が所定値以上である場合に全閉制御を行い、前記算出された取水量が前記第１の目標取水量より大きく、又は、ダム水位が前記所定値より小さい場合に取水量を一定にする制御を行うようにしてもよい。
【００１１】
また、ダム水位計が設けられたダムの取水口以外の取水口に設けられた取水ゲートのより具体的な制御態様としては、前記水路水位計により検出された前記導水路の水位から得られる水路流量と前記ダム水位計が設けられたダムの取水口の前記算出された取水量との差が前記第２の目標取水量より少ない場合に全開制御を行い、前記第２の目標取水量以上である場合に水路水位を一定にする一定制御を行うようにしてもよい。
【００１２】
そして、これらの取水ゲートの制御において、各制御の切り替えは、制御間のハンチングを防止するために、条件が成立してから設定時間経過後に切り替えるようにするとよい。
【発明の効果】
【００１３】
以上述べたように、本発明に係る取水ゲート自動制御システムは、ダム水位計が設けられたダムの取水口に対しては、ダム水位計により検出されたダム水位と取水ゲート開度計により検出された取水ゲートの開度とに基づき算出される取水量が第１の目標取水量となるように取水ゲートの開度が制御され、それ以外の取水口に対しては、水路水位計により検出された導水路の水位から得られる水路流量とダム水位計が設けられたダムの取水口の前記算出された取水量との差が第２の目標取水量となるように取水ゲートの開度を制御するようにしたので、互いに干渉し合わない制御を行うことが可能となり、導水路で合流させた後の水路水位（水路流量）のハンチングを防ぐことが可能となる。
【００１４】
この結果、各取水ゲートが頻繁に動作することがなくなり、機器への負担を低減することが可能になると共に、機器の取替えやメンテナンスの周期を長くすることができ、これらに要する費用を低減することが可能となる。
【００１５】
また、複数の取水ゲートを制御するに当たり、それぞれの取水ゲートの開度を１つの取水ゲート自動制御盤によって統括するようにしたので、取水ゲート毎に自動制御盤が不要となり、小スペース化を図ることが可能となる。しかも、自動制御盤を１つにしたので、複数ゲートの状況監視を同一場所で行え、また、諸データの記録をまとめて行えるため、業務の効率化を図ることも可能となる。
【図面の簡単な説明】
【００１６】
【図１】図１は、本発明に係る取水ゲート自動制御システムの全体構成例を示す図である。
【図２】図２は、取水施設を表す概略構成図であり、（ａ）はその平面図、（ｂ）は（ａ）のＡ−Ａ線における断面図である。
【図３】図３は、本発明に係る取水ゲート自動制御システムの制御構成例を示す図である。
【図４】図４は、取水ゲート自動制御盤による河川Ａの取水口に設けられた取水ゲートの制御動作例を示すフローチャートである。
【図５】図５は、取水ゲート自動制御盤による河川Ｂの取水口に設けられた取水ゲートの制御動作例を示すフローチャートである。
【図６】図６は、本発明に係る取水ゲート自動制御システムを用いた場合の導水路の水路水位（水路流量）の変化を説明する特性線図である。
【図７】図７は、従来の取水ゲート自動制御システムの全体構成を示す図である。
【図８】図８は、従来の取水ゲート自動制御システムを用いた場合の導水路の水路水位（水路流量）の変化を説明する特性線図である。
【発明を実施するための形態】
【００１７】
以下、本発明に係る実施形態を図面を用いて説明する。
【００１８】
図１において、本発明に係る取水ゲート自動制御システムの全体構成が示されている。この取水ゲート自動制御システムは、水力発電用の水を水力発電所に導入するために設けられる導水路１に、河川を流れる水を導水する第１及び第２の取水施設２，３の取水口（第１の取水口４、第２の取水口５）を連通させ（この例においては、第１の取水口４と第２の取水口５とを約４５０ｍ離して導水路１に連通させ）、それぞれの取水口４，５に設けられる取水ゲート（第１の取水ゲート６、第２の取水ゲート７）の開度を制御して導水路１に導入される水の合流後の水路水位（水路流量）を調節するもので、第１の取水施設２にはダムの水位を検出するダム水位計８を設け、導水路１には、それぞれの取水口４，５から導入された水の合流後（この例では、合流点から約５０ｍｍ下流側）の水位を検出する水路水位計９を設け、これらダム水位計８と水路水位計９からの検出信号を第２の取水施設側に設けられた取水ゲート自動制御盤１０に入力して、それぞれの取水ゲート６，７の開度を統括的に自動制御するようにしている。
【００１９】
より具体的には、第１の取水施設２は、図２に示されるように、河川Ａの水を堰き止めるために流路の横断方向に取水えん堤１１を設け、この取水えん堤１１に上流から流され堆積する砂礫をえん堤の下流側へ排出するための排砂ゲート１２が設けられている。また、このえん堤１１の脇に、取水口敷１３を介して導水路１に通じる取水口４を設置し、この取水口４に設けられた取水ゲート６の開度制御により取水量を調整して導水路１に導水するようにしている。
【００２０】
なお、１５は、取水口４の流入部分（この例では、取水口敷１３の上部）において、河川内を流下してくる流木や落ち葉等の塵芥が導水路１に流入することを防止するためのスクリーンであり、このスクリーン１５により塵芥を留め、導水路１への流入を防止するようにしている。
【００２１】
この例において、導水路１は、この河川Ａのダムの上流より河川Ａの下方を通ってこの取水口４と連通し、この取水口４からの取水を、上流に設けられた第２の取水施設３を介して取り込まれた河川Ｂからの取水と合流させている。
【００２２】
第２の取水施設３は、河川Ｂを横断する取水えん堤１６に取水口５を設置し、この取水口５に設けられた取水ゲート７の開度制御により取水量を調整して導水路１に導水するようにしている。
尚、それぞれの取水口４，５に設けられる取水ゲート６，７は、スルースゲート、ローラゲート、ストニーゲートなどが利用可能であり、後述する取水ゲート自動制御盤１０によって開度が電動で制御される。
【００２３】
図３において、本制御システムの具体的な制御構成例が示され、第１の取水施設２には、排砂ゲート機側操作盤２１と取水ゲート機側操作盤２２とが相互に各種データや制御信号を送受信可能に接続して設けられ、また、これら排砂ゲート機側操作盤２１と取水ゲート機側操作盤２２は各種表示部や操作部が設けられた所内盤２３に接続されている。
【００２４】
排砂ゲート機側操作盤２１は、排砂ゲート１２の開度を駆動制御する操作盤であり、排砂ゲート１２の開度を検出する排砂ゲート開度計２４からの検出信号、ダム水位を検出する前記ダム水位計８からの検出信号などが入力されるようになっている。また、取水ゲート機側操作盤２２は、第１の取水ゲート６の開度を駆動制御する操作盤であり、第１の取水ゲート６の開度を検出する取水ゲート開度計２５からの検出信号、導水路１の合流点より下流側の水路水位を検出する前記水路水位計９からの検出信号などが入力されるようになっている。
【００２５】
また、第２の取水施設３には、取水ゲート自動制御盤１０と取水ゲート機側操作盤２６とが相互に各種データや制御信号を送受信可能に接続して設けられ、また、これら取水ゲート自動制御盤１０と取水ゲート機側操作盤２６は各種表示部や操作部が設けられた所内盤２７に接続されている。
【００２６】
取水ゲート機側操作盤２６は、第２の取水ゲート７の開度を駆動制御する操作盤であり、取水ゲート自動制御盤１０には、第２の取水ゲート７の開度を検出する取水ゲート開度計２８からの検出信号などが入力されるようになっている。
【００２７】
前記排砂ゲート機側操作盤２１によって受信した排砂ゲート開度計２４やダム水位計８からの検出データは、取水ゲート機側操作盤２２を経由して保安器２９，３０を介して取水ゲート自動制御盤１０へ送られ、また、取水ゲート機側操作盤２２によって受信した取水ゲート開度計２５や水路水位計９からの検出データも、保安器２９，３０を介して取水ゲート自動制御盤１０へ送られる。
【００２８】
そして、取水ゲート自動制御盤１０は、これらの入力された各種データに基づき、それぞれの取水ゲート６，７や排砂ゲート１２の開度を演算し、その開度を得るための制御信号を、排砂ゲート機側操作盤２１に対しては、保安器３０，２９、取水ゲート機側操作盤２２を介して伝送し、第１の取水施設２の取水ゲート機側操作盤２２に対しては、保安器３０，２９を介して伝送し、第２の取水施設３の取水ゲート機側操作盤２６に対しては、直接伝送する。
即ち、各種検出データを第２の取水施設３に設けられた取水ゲート自動制御盤１０に集約し、ここで、各種ゲートの開度を演算し、それぞれの操作盤２１，２２，２６へ対応するゲートを制御するための制御信号を送信するようになっている。
【００２９】
図４及び５において、取水ゲート自動制御盤１０による第１の取水ゲート６と第２の取水ゲート７の制御動作例がフローチャートとして示され、以下、このフローチャートに基づき、各取水施設の取水ゲートの制御動作例を説明する。
【００３０】
まず、取水ゲート自動制御盤１０による河川Ａの取水口４に設けられた第１の取水ゲート６の制御について説明すると、図４に示されるように、取水ゲート自動制御盤１０は、次の４つの条件（１）〜（４）を満たして取水ゲート６の自動制御が可能であるか否かを判定する（ステップＳ１）。
（１）河川Ａのダム水位、水路水位データが正常
（２）取水口ゲート開度データが正常
（３）取水口ゲート故障が動作していないこと
（４）取水口ゲートの動力電源がＯＮしていること
【００３１】
この判定において、いずれかの条件が不成立であると判定された場合には、所内盤２３のタッチパネルの“取水口制御不可”の表示部を点灯させ、取水ゲート６の自動制御をロックする（ステップＳ２）。これに対して、上記の全ての条件が成立していると判定された場合には、タッチパネルの“取水口制御不可”の表示部を消灯させ、自動制御を投入する（ステップＳ３）。
【００３２】
自動制御が投入されると、取水ゲート自動制御盤１０は、ダム水位計８によって検出されたダム水位を取得する（ステップＳ４）。ここで、ダム水位計８によるダム水位は、データをサンプリングタイム毎に蓄積し、その平均値を算出して用いる。たとえば、サンプリングタイムを５秒とし、データ蓄積数を７個として、３０秒間の平均値を用いるとよい。
【００３３】
そして、河川Ａからの取水量を、ダム水位計８により検出されたダム水位と取水ゲート開度計２５により検出された取水ゲート６のゲート開度とに基づき算出する（ステップＳ５）。この取水量は、ダム水位と取水ゲートのゲート開度が分かれば、ダムに固有の特性線から一義的に決定される。
【００３４】
その後、取水ゲート自動制御盤１０は、自動制御開始時の条件を判定する（ステップＳ６）。この判定は、自動制御投入直後において、取水ゲート６が全開時であるか、全閉時であるか、それ以外の状態であるか否かを判定するもので、自動制御開始直後において、取水ゲート６が全開時であると判定された場合においては、ステップＳ７へ進み、河川Ａからの取水量が、基準取水量（第１の目標取水量であり、例えば、０．８ｍ3／ｓ）以下であるか否かを判定する。
【００３５】
そして、河川Ａからの取水量が基準取水量（０．８ｍ3／ｓ）以下であると判定された場合には、全開制御（取水ゲートを自動全開（２０ｃｍ）まで上昇させる制御）を維持し、その後、河川Ａからの取水量が基準取水量（０．８ｍ3／ｓ）以下であり続ける限り、全開制御を継続させる（ステップＳ９）。これに対して、河川Ａの取水量が基準取水量（０．８ｍ3／ｓ）より大きいと判定された場合には、設定時間（60秒）経過後に後述するステップＳ１１の取水量を一定にする制御へ移行する（ステップＳ１０）。
【００３６】
また、ステップＳ７において、河川Ａからの取水量が基準取水量（０．８ｍ3／ｓ）より多いと判定された場合には、取水量を一定にする制御が行われる（ステップＳ１１)。
この取水量一定制御は、取水量が目標取水量の０．８ｍ3／ｓとなるように開度を調節する制御であり、具体的には、ダム水位と目標取水量とから４点補間法により目標開度（ＭＨＫ)を計算し、目標開度と現在開度（ＳＧＫ）とから次式（１）により今回の操作量（ｓｄａ）を設定する制御を行うものである。
ｓｄａ＝ＭＧＫ−ＳＧＫ    ・・・（１）
【００３７】
その後、ダム水位が変動しているか否かを判定し（ステップＳ１２)、変動していないと判定された場合には、取水量一定制御を維持し、変動していると判定された場合には、ダム水位が上昇しているのか低下しているのかを判定する（ステップＳ１３）。そして、ダム水位が上昇していると判定された場合には、ダム水位がダム洪水水位である６０ｃｍ以上であるか否かを判定し（ステップＳ１４)、ダム水位がダム洪水水位（６０ｃｍ）以上であると判定された場合には、流木等の異物が導水路１に流入することを防ぐために、設定時間（６０秒）経過後に後述するステップＳ２１の全閉制御運転へ移行させ（ステップＳ１５)、ダム水位がダム洪水水位（６０ｃｍ）未満であれば、ステップＳ１１の取水量を一定とする制御を継続させる（ステップＳ１６)。
【００３８】
また、ステップＳ１３において、ダム水位が低下していると判定された場合には、ダム水位が取水再開水位である１５ｃｍ以下であるか否かを判定し（ステップＳ１７）、ダム水位が取水再開水位（１５ｃｍ）以下であると判定された場合には、設定時間（６０秒）経過後にステップＳ８の全開制御運転へ切り替え（ステップＳ１８)、ダム水位が取水再開水位（１５ｃｍ）より高い場合には、ステップＳ１１の取水量を一定とする制御を継続させる（ステップＳ１９)。
【００３９】
以上の制御に対して、ステップＳ６において、自動制御開始直後において、取水ゲート６が全閉時であると判定された場合においては、ステップＳ２０へ進み、河川Ａのダム水位が取水再開水位（１５ｃｍ）以下であり、且つ、河川Ｂの取入取水量が河川Ａの全開運転開始時の河川Ｂからの取水量（例えば、２ｍ3／ｓ）以下であるか否かを判定し、河川Ａのダム水位と河川Ｂの取入取水量がこの条件を満たしていると判定された場合には、前記ステップＳ８以降の全開制御へ移行させ、河川Ａのダム水位と河川Ｂの取入取水量がこの条件を満たしていないと判定された場合には、ステップＳ２１へ進み、取水ゲート６を全閉（０ｃｍ）まで下降させる全閉制御を行う。
【００４０】
その後、ダム水位が取水再開水位（１５ｃｍ）以下であり、且つ、河川Ｂの取入取水量が河川Ａの全開運転開始時の河川Ｂからの取水量（２ｍ3／ｓ）以下であるか否かを判定し（ステップＳ２２）、ダム水位と河川Ｂの取入取水量がこの条件を満たしていないと判定された場合には、全閉制御を継続させる。これに対して、ダム水位と河川Ｂの取入取水量がこの条件を満たしていると判定された場合には、設定時間（60秒）経過後に、ステップＳ１１の取水量を一定にする制御へ移行する（ステップＳ２３)。
【００４１】
また、ステップＳ６において、自動開始直後において、取水ゲートが全開時および全閉時以外であると判定された場合においては、ステップＳ２４へ進み、ダム水位が、ダム洪水水位である例えば６０ｃｍ以上であるか否かを判定し、ダム水位がダム洪水水位（６０ｃｍ）以上であると判定された場合には、前記ステップＳ２１以降の制御へ移行し、ダム水位がダム洪水水位（６０ｃｍ）未満であると判定された場合には、ステップＳ１１以降の制御を行う。
【００４２】
したがって、以上の制御をまとめると、自動制御の運転方式の選択は、以下のように行われる。
１．取水ゲートが全開時である場合
河川Ａ取水量≦基準取水量（０．８ｍ3／ｓ）であれば、全開運転制御が選択され、河川Ａ取水量＞基準取水量（０．８ｍ3／ｓ）であれば、取水量一定運転制御が選択される。
２．取水ゲートが全閉時である場合
ダム水位≦取水再開水位設定であり、且つ、河川Ｂ取入取水量≦河川Ａの全開運転開始時の河川Ｂ取水量である場合に、全開運転が選択される。
３．取水ゲートが全開でも全閉でもない場合
ダム水位＜洪水水位設定であれば、取水量一定運転が選択され、ダム水位≧洪水水位設定であれば、全閉運転が選択される。
【００４３】
また、運転方式の切替えは、以下のように行われる。
１．全開運転から取水量一定運転への切り替え
河川Ａ取水量＞基準取水量（０．８ｍ3／ｓ）であれば、設定時間継続後に、運転方式が取水量一定運転へ切り替えられる。
２．取水量一定運転から全開運転への切り替え
Ａダム水位≦取水再開水位設定値（１５ｃｍ）であれば、設定時間継続後、運転方式が全開運転に切り替えられる。
３．取水量一定運転から全閉運転への切り替え
Ａダム水位≧洪水水位設定値（６０ｃｍ）であれば、設定時間継続後、運転方式が全閉運転に切り替えられる。
４．全閉運転から取水量一定運転への切り替え
ダム水位≦取水再開水位設定で、且つ、河川Ｂ取入取水量≦河川Ａの全開運転開始時の河川Ｂ取水量であれば、設定時間継続後、運転方式が取水量一定運転へ切り替えられる。
【００４４】
したがって、上述の取水ゲート制御によれば、導水路１の水位を考慮せずに、ダム水位と取水ゲート開度計２５により検出された当該取水ゲートの開度とに基づき算出される取水量が目標取水量である０．８ｍ3／ｓとなるように取水ゲートの開度が制御されるので、導水路の水位に変動が生じた場合においても、所定の目標取水量が得られるように取水ゲートの開度が制御される。
【００４５】
次に、取水ゲート自動制御盤１０による河川Ｂの取水口５に設けられた取水ゲート７の制御について説明する。
まず、取水ゲート自動制御盤１０は、次の３つの条件（１）〜（３）を満たして取水ゲート７の自動制御が可能であるか否かを判定する（ステップＳ３１）。
（１）会流池水位、水路水位データが正常
（２）水路入口ゲート開度データが正常
（３）水路入口ゲート故障が動作していないこと
【００４６】
この判定において、いずれかの条件が不成立であると判定された場合には、所内盤２７のタッチパネルの“取水口制御不可”の表示部を点灯させ、取水ゲート６の自動制御をロックする（ステップＳ３２）。これに対して、上記の全ての条件が成立していると判定された場合には、タッチパネルの“取水口制御不可”の表示部を消灯させ、自動制御を投入する（ステップＳ３３）。
【００４７】
自動制御が投入されると、取水ゲート自動制御盤１０は、水路水位計９によって検出された導水路１の水位を取得する（ステップＳ３４）。ここで、水路水位計９による導水路の水位は、データをサンプリングタイム毎に蓄積し、その平均値を算出して用いる。たとえば、サンプリングタイムを５秒とし、データ蓄積数を７個として、３０秒間の平均値を用いるとよい。
【００４８】
そして、水路水位計９によって検出された水路水位から導水路１の合流点より下流側での水路流量を算出し、この水路流量と河川Ａからの前記ステップＳ５で算出された取水量（河川Ａ取水量）とから、河川Ｂからの取入取水量を、水路流量−河川Ａの取水量として算出する（ステップＳ３５)。
【００４９】
その後、河川Ｂからの取入取水量が河川Ｂの水路基準流量（第２の目標取水量であり、例えば、３ｍ3／ｓ）より少ないか否かを判定し（ステップＳ３６)、河川Ｂ取入取水量＜河川Ｂ水路基準流量であると判定された場合には、取水ゲート７を自動全開（１４０ｃｍ）まで上昇させる全開制御を行う（ステップＳ３７)。この全開制御は、河川Ｂの取入取水量が河川Ｂの基準取水量以上（河川Ｂ取入取水量≧河川Ｂ水路基準流量）となるまで継続し（ステップＳ３８)、河川Ｂ取入取水量≧河川Ｂ水路基準流量となった場合には、設定時間（１０秒）経過後に後述する水路水位一定制御へ移行する（ステップＳ３９)。
【００５０】
また、ステップＳ３６において、河川Ｂからの取入取水量が河川Ｂからの基準取水量以上（河川Ｂ取入取水量≧河川Ｂ水路基準流量）であると判定された場合には、目標取水量を３．０ｍ3／ｓとする水路水位一定制御が行われる（ステップＳ４０)。この水路水位一定制御は、河川Ｂからの取入取水量が全開移行流量（例えば、２．９ｍ3／ｓ）を下回るまで行われ（ステップＳ４１)、河川Ｂ取入取水量＜全開移行流量になった場合には、設定時間（例えば、６０秒）経過後に全開制御運転へ移行する（ステップＳ４２)。
【００５１】
ここで、ステップＳ４０の水路水位一定制御における制御流量は、例えば、今回の制御流量をｄＱ［m2/s］，水路基準流量をＳＱS［m2/s］,水路水位流量をＳＱ［m2/s］とすると、ｄＱ＝Ｋ３*（ＳＱS−ＳＱ）として算出する。
そして、取水ゲートの操作量ｄａを次式により算出する。
【００５２】
【数１】
2010275825.tif 000003
【００５３】
したがって、以上の制御をまとめると、自動制御の運転方式の選択は、河川Ｂ取入取水量＜河川Ｂ水路基準流量であれば、全開制御が選択され、河川Ｂ取入取水量≧河川Ｂ水路基準流量であれば、水路水位一定制御が選択される。
【００５４】
また、運転方式の切替えは、以下のように行われる。
１．全開運転から水路水位一定運転への切り替え
全開運転中に河川Ｂの取入取水量が河川Ｂの水路基準流量以上となった場合、設定時間継続後、運転方式を水路水位一定運転へ切り替える。
２．水路水位一定運転から全開運転への切り替え
水路水位一定運転中に吉井川取水量が全開移行流量未満となった場合、設定時間継続後、運転方式を水路水位一定運転から全開運転へ切り替える。
【００５５】
したがって、上述の取水ゲート制御によれば、水路水位計９によって検出された水路水位から算出した導水路の合流点よりも下流側の水路流量と、河川Ａからの取水量との差を河川Ｂからの取入取水量とし、この河川Ｂからの取入取水量が基準取水量（第２の目標取水量）である３ｍ3／ｓとなるように取水ゲート７の開度が制御される。
【００５６】
このため、第２の取水口５の取水ゲート７は、第１の取水口４の取水ゲート６の制御とは切り離して、異なる制御形態により目標とする河川Ｂからの取水量が得られるように取水ゲートの開度が制御される。
【００５７】
よって、第１の取水ゲート６は、ダム水位と取水ゲート６の開度とに基づき算出される取水量が０．８ｍ3／ｓとなるように開度制御されるので、図６の実線で示されるような開度特性が得られ、また、第２の取水ゲート７は、導水路の水路水位から得られた水路流量から第１の取水ゲートからの取水量を引いた値が、３ｍ3／ｓとなるように開度制御されるので、図６の一点鎖線に示されるような開度特性が得られ、結果として、導水路１の水路水位は、ハンチングをおこなさない破線で示す特性となる。
【００５８】
このように、上述の構成においては、第２の取水施設側に設けた取水ゲート自動制御盤１０により、それぞれの取水ゲートを制御形態を異ならせて統括的に制御するようにしたので、導水路の水路水位（水路流量）のハンチングを抑制することが可能となる。このため、各取水ゲートが安定せずに頻繁に作動する不都合がなくなり、機器への負担を低減することが可能となり、また、１つの取水ゲート自動制御盤１０により複数の取水ゲートを制御できるので、複数の取水ゲートの状況監視を、同一場所で行うことが可能となり、また、取水ゲート毎に自動制御盤の設置が不要となり、コストの低減、省スペース化も図ることが可能となる。
【符号の説明】
【００５９】
１  導水路
４，５  取水口（４：第１の取水口、５：第２の取水口）
６，７  取水ゲート（６：第１の取水ゲート、７：第２の取水ゲート）
８  ダム水位計
９  水路水位計
１０  取水ゲート自動制御盤
２５、２８  取水ゲート開度計
【図１】
2010275825.tif 000004
【図２】
2010275825.tif 000005
【図３】
2010275825.tif 000006
【図４】
2010275825.tif 000007
【図５】
2010275825.tif 000008
【図６】
2010275825.tif 000009
【図７】
2010275825.tif 000010
【図８】
2010275825.tif 000011